【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
電気通信ネットワークを介した、閲覧者に対する電子コンテンツのレンダリングを制御し監視するシステムであって、
１つ以上のコンピュータ処理装置と、１つ以上のソフトウェアアプリケーションとを有するシステム側のコンピュータを備え、該システム側のコンピュータは前記電気通信ネットワークを介して１つ以上の電子コンテンツページと通信し、
前記１つ以上の電子コンテンツページは、１つ以上のコンテンツレンダリング領域を有しており、
前記１つ以上の電子コンテンツページは、前記電気通信ネットワークを介して閲覧者が遠隔からアクセス可能であり、
前記閲覧者は、前記１つ以上の電子コンテンツページを知覚するための、ウィンドウの寸法及びスクロール位置により定義される閲覧可能領域を有するウィンドウを持つブラウザアプリケーションを備えた電子ネットワーク通信装置を有しており、
前記閲覧者の前記電子ネットワーク通信装置は、さらに、ブラウザウィンドウを知覚するためのディスプレイ装置を備えており、
前記システムはさらに、
前記電子コンテンツページ上に配置されたタグを備え、
前記タグは、前記タグが配置された電子コンテンツページが、前記閲覧者により、前記電気通信ネットワークを介し、かつ前記電子ネットワーク通信装置及びブラウザアプリケーションを介した通信により要求された場合、前記タグが配置された前記電子コンテンツページから、前記ソフトウェアアプリケーションへの通信を行い、
前記ソフトウェアアプリケーションは、前記タグからの前記通信を受信すると、前記指定された電子コンテンツページに組み込まれる相関コードを生成し、
さらに前記相関コードは、前記ブラウザアプリケーションからの情報の取得により、前記指定された電子コンテンツページの前記指定されたコンテンツレンダリング領域の所定の部分が前記閲覧者のブラウザウィンドウの閲覧可能領域に存在するか否かと、前記ブラウザウィンドウが前記ディスプレイ装置上でフォーカスが当たっているか否かを前記電子コンテンツページ上で監視し、
さらに前記相関コードは、前記指定されたコンテンツレンダリング領域の所定の部分が前記閲覧者のブラウザウィンドウの閲覧可能領域に存在し、前記ブラウザウィンドウが前記ディスプレイ装置上でフォーカスが当たっている場合、指定された電子コンテンツファイルを、前記指定されたコンテンツレンダリング領域においてレンダリングすることを特徴とするシステム。
【請求項２】
請求項１に記載のシステムであって、
前記１つ以上のソフトウェアアプリケーションはさらに、
前記相関コードが、前記指定されたコンテンツレンダリング領域の所定の部分が前記閲覧者のブラウザウィンドウの閲覧可能領域に存在すると判定した場合に、前記指定されたコンテンツレンダリング領域上に埋め込まれ、前記電子コンテンツファイルを取得し、前記指定されたコンテンツレンダリング領域においてレンダリングする、コンテンツレンダリングモジュールソフトウェアアプリケーションを備えることを特徴とするシステム。
【請求項３】
請求項１に記載のシステムであって、
前記相関コードは、前記電子コンテンツが前記指定されたコンテンツレンダリング領域においてレンダリングされたか否かと、前記指定されたコンテンツレンダリング領域の所定の部分が、前記ブラウザウィンドウの寸法及びスクロール位置の範囲内に存在するか否かと、前記ウィンドウが前記ディスプレイ装置上でフォーカスが当たっているか否かに関するデータを前記閲覧者のブラウザから取得し、前記データは前記電気通信ネットワークにより送信するためのものであることを特徴とするシステム。
【請求項４】
請求項２に記載のシステムであって、
前記コンテンツレンダリングモジュールが、前記閲覧者のブラウザから前記相関コードが取得した、前記電子コンテンツが前記指定されたコンテンツレンダリング領域においてレンダリングされたか否かと、前記指定されたコンテンツレンダリング領域の所定の部分が、前記ブラウザウィンドウの寸法及びスクロール位置の範囲内に存在するか否かと、前記ウィンドウが前記ディスプレイ装置上でフォーカスが当たっているか否かに関するデータを受信し、前記データは前記電気通信ネットワークにより送信するためのものであることを特徴とするシステム。
【請求項５】
請求項１に記載のシステムであって、
前記システムは、前記電子コンテンツページの前記コンテンツレンダリング領域において前記電子コンテンツファイルがレンダリングされ、前記閲覧者のブラウザウィンドウが前記ディスプレイ装置上で所定の時間フォーカスが当たっている場合、前記電子コンテンツページの前記コンテンツレンダリング領域においてレンダリングされた前記電子コンテンツファイルに係る閲覧可能インプレッションをカウントすることを特徴とするシステム。
【請求項６】
請求項１に記載のシステムであって、
前記システムは、前記電子コンテンツページの前記コンテンツレンダリング領域において前記電子コンテンツファイルがレンダリングされ、前記閲覧者のブラウザウィンドウが前記ディスプレイ装置上で所定の時間フォーカスが当たっている場合、前記電子コンテンツページの前記コンテンツレンダリング領域においてレンダリングされた前記電子コンテンツファイルに係る閲覧可能インプレッションを報告することを特徴とするシステム。
【請求項７】
請求項１に記載のシステムであって、
前記システムは、前記電子コンテンツファイルが前記電子コンテンツページの前記コンテンツレンダリング領域においてレンダリングされた場合、前記電子コンテンツファイル及び前記電子コンテンツページの前記コンテンツレンダリング領域に係るコンテンツレンダリングイベントを報告することを特徴とするシステム。
【請求項８】
請求項１に記載のシステムであって、
前記相関コードはさらに、前記コンテンツレンダリング領域の所定の部分が、前記ブラウザウィンドウの閲覧可能領域の範囲内に存在しており、前記ブラウザウィンドウが前記ディスプレイ装置上でフォーカスが当たっている時間を監視することを特徴とするシステム。
【請求項９】
請求項８に記載のシステムであって、
前記ブラウザウィンドウが前記ディスプレイ装置上でフォーカスが当たっていない場合、前記コンテンツレンダリング領域の所定の部分が前記ブラウザウィンドウの閲覧可能領域の範囲内に存在しており前記ブラウザウィンドウが前記ディスプレイ装置上でフォーカスが当たっている時間の前記相関コードによる監視が一時停止し、
前記コンテンツレンダリング領域の所定の部分が再度前記ブラウザウィンドウの閲覧可能領域の範囲内に存在しており前記ブラウザウィンドウが前記ディスプレイ装置上でフォーカスが当たっており、前記電子コンテンツファイルが前記コンテンツレンダリング領域においてレンダリングされている場合に、前記相関コードによる時間の監視が再開することを特徴とするシステム。
【請求項１０】
請求項１に記載のシステムであって、
前記相関コードはさらに、前記指定された前記電子コンテンツページの前記指定されたコンテンツレンダリング領域が、前記ブラウザウィンドウの閲覧可能領域の範囲内に存在している度合いの比率を監視することを特徴とするシステム。
【請求項１１】
請求項１に記載のシステムであって、
前記相関コードはさらに、前記１つ以上の電子コンテンツファイルに係る閲覧者側のアクティビティを検知することを特徴とするシステム。
【請求項１２】
電気通信ネットワーク介し電子コンテンツのレンダリングを制御する方法であって、
前記電気通信ネットワークを介しアクセス可能な電子コンテンツページに配置されるタグ／リンクを生成するステップと、
前記タグ／リンクが配置され前記指定された電子コンテンツページを閲覧者が要求して前記タグ／リンクがアクティブ状態になると、前記電子コンテンツページの１以上のコンテンツレンダリング領域と１以上の電子コンテンツファイルを指定するデータを取得するステップと、
前記電子コンテンツページの要求から前記閲覧者及び閲覧者のブラウザに関連するデータを取得するステップと、前記閲覧者により前記要求は前記電気通信ネットワークを介して電子ネットワーク通信装置により行われ、前記電子ネットワーク通信装置は前記電子コンテンツページを知覚するための、ウィンドウの寸法及びスクロール位置により定義される閲覧可能領域を有するウィンドウを持つブラウザアプリケーションと、ブラウザウィンドウを知覚するためのディスプレイ装置を備えており、
前記電子コンテンツページに組み込まれ、前記指定された電子コンテンツページの前記指定されたコンテンツレンダリング領域の所定の部分が前記閲覧者のブラウザウィンドウの閲覧可能領域に存在するか否かと、前記ブラウザウィンドウが前記ディスプレイ装置上でフォーカスが当たっているか否かを判定する相関コードを生成するステップと、
前記電子コンテンツページ上の前記相関コードにより、前記指定されたコンテンツレンダリング領域の所定の部分が前記閲覧者のブラウザウィンドウの閲覧可能領域に存在するか否かと、前記ブラウザウィンドウが前記閲覧者の前記ディスプレイ装置上でフォーカスが当たっているか否かを監視するステップと、
前記指定された電子コンテンツページの前記指定されたコンテンツレンダリング領域の所定の部分が前記閲覧者のブラウザウィンドウの閲覧可能領域に存在していると前記相関コードが判定した場合、指定された電子コンテンツファイルを、前記指定された電子コンテンツページの前記指定されたコンテンツレンダリング領域においてレンダリングするステップと、
前記指定された電子コンテンツファイルが前記指定されたコンテンツレンダリング領域においてレンダリングされ、前記指定されたコンテンツレンダリング領域の所定の部分が前記閲覧者のブラウザウィンドウの閲覧可能領域に存在し、前記ブラウザウィンドウが前記ディスプレイ装置上でフォーカスが当たっている場合、前記相関コードにより前記ブラウザから取得したデータによって、閲覧をカウントするステップと、
を含むことを特徴とする方法。
【請求項１３】
請求項１２に記載の方法であって、
前記電子コンテンツページの前記コンテンツレンダリング領域において前記電子コンテンツファイルがレンダリングされ、前記指定されたコンテンツレンダリング領域の所定の部分が前記閲覧者のブラウザウィンドウの閲覧可能領域に存在し、閲覧者の前記ブラウザウィンドウが前記ディスプレイ装置上で所定の時間フォーカスが当たっている場合、前記電子コンテンツページの前記コンテンツレンダリング領域においてレンダリングされた前記電子コンテンツファイルに係る閲覧可能インプレッションを報告することを特徴とする方法。
【請求項１４】
請求項１２に記載の方法であって、
前記電子コンテンツページの前記コンテンツレンダリング領域において前記電子コンテンツファイルがレンダリングされ、前記閲覧者の前記ブラウザウィンドウが開いており、前記ブラウザウィンドウが前記ディスプレイ装置上で少なくとも部分的に所定の時間妨害されていない場合、前記電子コンテンツページの前記コンテンツレンダリング領域においてレンダリングされた前記電子コンテンツファイルに係る閲覧可能インプレッションを報告することを特徴とする方法。
【請求項１５】
請求項１２に記載の方法であって、
前記指定された前記電子コンテンツファイルが前記電子コンテンツページの前記コンテンツレンダリング領域においてレンダリングされた場合、格納されたデータのレコード内の前記電子コンテンツファイル及び前記電子コンテンツページの前記コンテンツレンダリング領域に係るコンテンツレンダリングイベントを報告することを特徴とする方法。
【請求項１６】
請求項１２に記載の方法であって、
前記相関コードによって、前記コンテンツレンダリング領域の所定の部分が、前記ブラウザウィンドウの閲覧可能領域の範囲内に存在しており、前記ブラウザウィンドウが前記閲覧者のディスプレイ装置上でフォーカスが当たっている時間を監視することを特徴とする方法。
【請求項１７】
請求項１６に記載の方法であって、
前記ブラウザウィンドウが前記ディスプレイ装置上でフォーカスが当たっていない場合、前記コンテンツレンダリング領域の所定の部分が、前記ブラウザウィンドウの閲覧可能領域の範囲内に存在しており、前記ブラウザウィンドウがフォーカスが当たっている時間の前記相関コードによる監視が一時停止し、
前記コンテンツレンダリング領域の所定の部分が前記ディスプレイ装置上でフォーカスが当たっており、前記電子コンテンツファイルが前記コンテンツレンダリング領域においてレンダリングされている場合に、前記相関コードによる時間の監視が再開することを特徴とする方法。
【請求項１８】
請求項１２に記載の方法であって、
前記相関コードによって、前記電子コンテンツページの前記コンテンツレンダリング領域が、前記ブラウザウィンドウの閲覧可能領域の範囲内に存在している度合いの比率を監視するステップを含むことを特徴とする方法。
【請求項１９】
請求項１２に記載の方法であって、
前記相関コードによって、前記１つ以上の電子コンテンツファイルに係る閲覧者側のアクティビティを監視するステップを含むことを特徴とする方法。
【請求項２０】
請求項１２、１６、１８、又は１９のいずれか一項に記載の方法であって、
前記電気通信ネットワークを介してネットワークの他の場所に、前記相関コードによる監視データを送信するステップを含むことを特徴とする方法。
【請求項２１】
電気通信ネットワークを介した、閲覧者に対する電子コンテンツのレンダリングを制御し監視するシステムであって、
１つ以上のコンピュータ処理装置と、１つ以上のソフトウェアアプリケーションとを有するシステム側のコンピュータを備え、該システム側のコンピュータは１つ以上の電子コンテンツページと通信し、
前記１つ以上の電子コンテンツページは、１つ以上のコンテンツレンダリング領域及び一つ以上のトリガー領域を有しており、
前記１つ以上の電子コンテンツページは、前記電気通信ネットワークを介して閲覧者が遠隔からアクセス可能であり、
前記閲覧者は、前記１つ以上の電子コンテンツページを知覚するための、ウィンドウの寸法及びスクロール位置により定義される閲覧可能領域を有するウィンドウを持つブラウザアプリケーションを備えた電子ネットワーク通信装置を有しており、
前記閲覧者の前記電子ネットワーク通信装置は、さらに、ブラウザウィンドウを知覚するためのディスプレイ装置を備えており、
前記システムはさらに、
前記指定された電子コンテンツページ上に配置されたタグを備え、
前記タグは、前記タグが配置された電子コンテンツページが前記閲覧者により要求された場合、前記タグが配置された前記電子コンテンツページから、前記ソフトウェアアプリケーションへの通信を行い、
前記ソフトウェアアプリケーションは、前記タグからの前記通信を受信すると、前記指定された電子コンテンツページに組み込まれる相関コードを生成し、
前記相関コードは、前記電子コンテンツページにおいて、該電子コンテンツページ内の１以上の指定されたコンテンツレンダリング領域と、該電子コンテンツページ内の１以上の指定されたトリガー領域と、１以上の指定された電子コンテンツファイルとを制御し、
さらに前記相関コードは、前記ブラウザアプリケーションからの情報の取得により、前記指定された電子コンテンツページにおいて、前記指定されたトリガー領域の少なくとも一部分が前記閲覧者のブラウザウィンドウの閲覧可能領域に存在するか又は前記閲覧者のブラウザウィンドウの閲覧可能領域から所定の距離範囲内に存在するか否かと、前記ブラウザウィンドウが、前記閲覧者の前記電子ネットワーク通信装置の前記ディスプレイ装置上でフォーカスが当たっているか否かを監視し、
さらに前記相関コードは、前記指定されたトリガー領域の少なくとも一部分が前記閲覧者のブラウザウィンドウの閲覧可能領域に存在し又は前記閲覧者のブラウザウィンドウの閲覧可能領域から所定の距離範囲内に存在し、前記ブラウザウィンドウが前記ディスプレイ装置上でフォーカスが当たっている場合、指定された電子コンテンツファイルを、前記指定されたコンテンツレンダリング領域においてレンダリングすることを特徴とするシステム。
【請求項２２】
ウィンドウの寸法及びスクロール位置により定義される閲覧可能領域を有するウィンドウを持つブラウザアプリケーションとブラウザウィンドウを閲覧するためのディスプレイ装置を備える電子ネットワーク通信装置によって電気通信ネットワークを介して通信する、１以上のコンテンツレンダリング領域を有する１以上の電子コンテンツページにおける１以上の電子コンテンツページ閲覧者に対する電子コンテンツのレンダリングを、電気通信ネットワークを介し制御するシステムであって、
１つ以上のコンピュータ処理装置を有するシステム側のコンピュータを備え、該システム側のコンピュータは電気通信ネットワークを介して１つ以上の電子コンテンツページと通信し、
前記システムはさらに、
指定された電子コンテンツページに組み込まれた相関コードを備え、該相関コードは、前記閲覧者のブラウザからデータを取得し、前記指定された電子コンテンツページの前記指定されたコンテンツレンダリング領域の所定の部分が前記閲覧者のブラウザウィンドウの閲覧可能領域に存在するか否かと、前記ブラウザウィンドウが前記閲覧者の電子ネットワーク通信装置のディスプレイ装置上で開いており、かつ部分的に所定の時間妨害されていないか否かとを監視し、
さらに前記相関コードは、前記指定されたコンテンツレンダリング領域の所定の部分が前記閲覧者のブラウザウィンドウの閲覧可能領域に存在すると判定した場合、１以上の指定された電子コンテンツファイルを、前記指定されたコンテンツレンダリング領域においてレンダリングし、
さらに前記相関コードは、前記１以上のコンテンツファイルが前記コンテンツレンダリング領域においてレンダリングされ、前記指定されたコンテンツレンダリング領域の所定の部分が前記閲覧者のブラウザウィンドウの閲覧可能領域に存在し、前記ブラウザウィンドウが前記閲覧者の電子ネットワーク通信装置のディスプレイ装置上で開いており、かつ少なくとも部分的に所定の時間妨害されていない場合、電気通信ネットワークを介してデータを送信することを特徴とするシステム。
【請求項２３】
請求項２１又は２２に記載のシステムであって、
前記相関コードは、前記電子コンテンツが前記指定されたコンテンツレンダリング領域においてレンダリングされたか否かと、前記指定されたコンテンツレンダリング領域の所定の部分が、前記ブラウザウィンドウの寸法及びスクロール位置の範囲内に存在するか否かと、前記ウィンドウが前記ディスプレイ装置上でフォーカスが当たっているか否かに関する、前記電気通信ネットワークを介して送信するデータを前記閲覧者のブラウザ及び前記電子コンテンツページから取得することを特徴とするシステム。
【請求項２４】
電気通信ネットワーク介し、電子コンテンツページのコンテンツレンダリング領域において、指定された電子コンテンツページの指定されたコンテンツレンダリング領域の所定の部分が少なくとも閲覧者のブラウザのウィンドウ寸法及びスクロール位置の範囲内又は所定の距離だけ外側の範囲内に存在するか否かの判定と、ブラウザウィンドウが前記閲覧者の電子ネットワーク通信装置のディスプレイ装置上でフォーカスが当たっているか否かの判定に基づいて電子コンテンツのレンダリングを制御する方法であって、
前記電子コンテンツページに配置されるタグを生成するステップを含み、前記タグは、前記指定された電子コンテンツページを閲覧者が要求してアクティブ状態になった場合、システムアプリケーションとリンクし、該システムアプリケーションにより、前記電子コンテンツページと、前記電子コンテンツページの１以上のコンテンツレンダリング領域と、１以上の電子コンテンツファイルとを指定するデータを取得し、前記電子コンテンツページの要求から前記閲覧者及び閲覧者のブラウザに関連するデータを取得し、
前記電子コンテンツページに組み込まれ、前記指定されたコンテンツレンダリング領域の所定の部分が少なくとも前記閲覧者の前記ブラウザのウィンドウ寸法及びスクロール位置の範囲内又は所定の距離だけ外側の範囲内に存在するか否かと、前記ブラウザウィンドウが前記ディスプレイ装置上でフォーカスが当たっているか否かを判定する相関コードを生成するステップと、
前記指定されたコンテンツレンダリング領域の所定の部分が少なくとも前記閲覧者の前記ブラウザのウィンドウ寸法及びスクロール位置の範囲内又は所定の距離だけ外側の範囲内に存在し、前記ブラウザウィンドウが前記ディスプレイ装置上でフォーカスが当たっていると前記相関コードが前記指定された電子コンテンツページ上で検知した場合、指定された電子コンテンツファイルを、前記指定された電子コンテンツページの前記指定されたコンテンツレンダリング領域においてレンダリングするステップと、を含むことを特徴とする方法。
【請求項２５】
請求項１、２１又は２２のいずれか一項に記載のシステムであって、
前記１つ以上のソフトウェアアプリケーションは、前記タグが、前記コンテンツレンダリング領域上に重なる層を有する電子コンテンツページに配置される場合、前記タグの正しい配置を保証するための、前記電子コンテンツページ上の前記タグの配置を制御するアプリケーションを備えることを特徴とするシステム。
【請求項２６】
請求項１、２１又は２２のいずれか一項に記載のシステムであって、
前記１つ以上のソフトウェアアプリケーションは、前記タグが、２以上の層を有する電子コンテンツ上の＜ＤＩＶ＞層の中に配置される場合に、前記タグの正しい配置を保証するための、前記電子コンテンツページ上の前記タグの配置を制御するアプリケーションを備えることを特徴とするシステム。
【請求項２７】
請求項１、２１又は２２のいずれか一項に記載のシステムであって、
前記１つ以上のソフトウェアアプリケーションは、前記タグが、２以上の層を有する電子コンテンツ上の＜ＤＩＶ＞層の中に配置され、ある層が前記電子コンテンツページの前記コンテンツレンダリング領域上に重なる場合に、前記タグの正しい配置を保証するための、前記電子コンテンツページ上の前記タグの配置を制御するアプリケーションを備えることを特徴とするシステム。
【請求項２８】
請求項１、２１又は２２のいずれか一項に記載のシステムであって、
前記１つ以上のソフトウェアアプリケーションは、
前記タグが、２以上の層を有する電子コンテンツページの＜ＤＩＶ＞層内のテーブル内に配置される場合に、前記タグの正しい配置を保証するための、前記電子コンテンツページ上の前記タグの配置を制御するアプリケーションを備えることを特徴とするシステム。
【請求項２９】
請求項１、２１又は２２のいずれか一項に記載のシステムであって、
前記ブラウザは、同時にロードされる２以上のページを備えており、
前記相関コードは、前記２以上のページのいずれが、前記閲覧者のディスプレイ装置上で閲覧可能な主ページであるかを検知することを特徴とするシステム。
【請求項３０】
請求項１、２１又は２２のいずれか一項に記載のシステムであって、
前記１つ以上のソフトウェアアプリケーションは、前記電子コンテンツページ上に表示され、閲覧者によりアクティブ状態になった場合、ビデオウィンドウを、前記閲覧者のブラウザウィンドウの閲覧可能領域における、前記ビデオ閲覧プレビューボタンより大きな部分を覆うまで拡大させるビデオ閲覧プレビューボタンを生成してビデオコンテンツファイルをレンダリングし、
拡大された前記ビデオウィンドウは、前記閲覧者がスクロールにより前記コンテンツページを上下に移動しても前記ブラウザウィンドウの閲覧可能領域の範囲内に存在し続けることを特徴とするシステム。
【請求項３１】
電気通信ネットワーク上の指定されたコンテンツディスプレイページの指定されたコンテンツレンダリング領域に電子コンテンツをレンダリングするコンピュータシステムを用いる方法であって、
前記指定されたコンテンツレンダリング領域の所定の部分が、前記電気通信ネットワークを介して前記コンテンツディスプレイページにアクセスする閲覧者の電子ネットワーク通信装置のブラウザのウィンドウ寸法及びスクロール位置の範囲内か否かを検知し、かつ、ブラウザウィンドウが前記ディスプレイ装置上でフォーカスが当たっているか否かを検知する電子コンテンツページに配置される相関コードを生成するステップと、
前記相関コードが、前記指定されたコンテンツレンダリング領域の所定の部分が前記ブラウザのウィンドウ寸法及びスクロール位置の範囲内に存在し、かつ、前記ブラウザウィンドウが前記ディスプレイ装置上でフォーカスが当たっている場合、前記コンテンツディスプレイページの前記指定されたコンテンツレンダリング領域内で前記電子コンテンツがレンダリングされるように、前記コンテンツディスプレイページ上の前記相関コードにより前記電子コンテンツのレンダリングを制御するステップと、
前記電子コンテンツが前記指定されたコンテンツレンダリング領域内でレンダリングされ、前記相関コードが前記指定されたコンテンツレンダリング領域の所定の部分が前記ブラウザのウィンドウ寸法及びスクロール位置の範囲内に存在し、かつ、前記ブラウザウィンドウが前記ディスプレイ装置上で所定の時間フォーカスが当たっている場合、前記電子コンテンツの閲覧をカウントするステップと、
を含むことを特徴とする方法。
【請求項３２】
コンテンツディスプレイページと電気通信ネットワークを介して通信するコンピュータシステムを用いる方法であって、
前記コンテンツディスプレイページの指定されたコンテンツレンダリング領域の所定の部分が、前記電気通信ネットワークを介して前記コンテンツディスプレイページと通信する閲覧者の電子ネットワーク通信装置のブラウザのウィンドウ寸法及びスクロール位置の範囲内か否かを検知し、かつ、前記指定されたコンテンツレンダリング領域に指定された電子コンテンツをレンダリングする前に、前記ブラウザウィンドウの指定された部分が前記閲覧者の電子ネットワーク通信装置の前記ディスプレイ装置上でフォーカスが当たっているか否かを検知する電子コンテンツページに記述される相関コードを生成するステップと、
前記相関コードにより前記ブラウザから取得したデータにより前記指定されたコンテンツレンダリング領域の所定の部分が前記ブラウザのウィンドウ寸法及びスクロール位置の範囲内に存在し、前記電子コンテンツが前記コンテンツレンダリング領域でレンダリングされ、かつ、前記ブラウザウィンドウの前記部分が前記ディスプレイ装置上で所定の時間フォーカスが当たっていることを検知した後に電子コンテンツが前記指定されたコンテンツレンダリング領域内でレンダリングされたことを、前記電気通信ネットワークを介して報告するステップと、
を含むことを特徴とする方法。
【請求項３３】
請求項３２に記載の方法であって、
前記相関コードが、前記コンテンツディスプレイページ内の前記指定されたコンテンツレンダリング領域の所定の部分が少なくとも前記ブラウザのウィンドウ寸法及びスクロール位置の範囲内に存在すると検知しない限り、前記指定されたコンテンツレンダリング領域において前記電子コンテンツのレンダリングをしないように、前記電子コンテンツのレンダリングを制御するステップを含むことを特徴とする方法。
【請求項３４】
電気通信ネットワーク上の指定されたコンテンツディスプレイページの指定されたコンテンツレンダリング領域にレンダリングするシステムであって、
前記電気通信ネットワーク及び前記指定されたコンテンツディスプレイページと通信するコンピュータシステムを備え、前記コンピュータシステムは、前記指定されたコンテンツレンダリング領域の所定の部分がブラウザのウィンドウ寸法及びスクロール位置の範囲内に存在すると検知し、かつ、ブラウザウィンドウが前記コンテンツディスプレイページと前記電気通信ネットワークを介して通信する閲覧者の電子ネットワーク通信装置のディスプレイ装置上でフォーカスが当たっていることを検知する相関コードを生成する１以上のソフトウェアアプリケーションを実行し、
前記システムはさらに
前記指定されたコンテンツレンダリング領域の所定の部分が前記ブラウザのウィンドウ寸法及びスクロール位置の範囲内に存在すると検知し、かつ、前記ブラウザウィンドウが前記ディスプレイ装置上でフォーカスが当たっていることを検知する、前記指定されたコンテンツディスプレイページに記述される相関コードを備え、
前記相関コードはさらに、前記電子コンテンツが、前記指定されたコンテンツレンダリング領域内でレンダリングされたか否か、及び前記ブラウザウィンドウが前記ディスプレイ装置上で所定の時間フォーカスが当たっているか否かを監視し、該監視に係るデータを、前記電気通信ネットワークを介して送信することを特徴とするシステム。
【請求項３５】
請求項３４に記載のシステムであって、
前記相関コードはさらに、前記指定されたコンテンツレンダリング領域の所定の部分が前記ブラウザのウィンドウ寸法及びスクロール位置の範囲内に存在すると前記相関コードが検知した場合にのみ、前記指定されたコンテンツレンダリング領域において前記電子コンテンツをレンダリングするように、前記電子コンテンツのレンダリングを制御することを特徴とするシステム。
【請求項３６】
請求項３４に記載のシステムであって、
前記相関コードはさらに、前記電子コンテンツが前記指定されたコンテンツレンダリング領域内でレンダリングされ、前記指定されたコンテンツレンダリング領域が前記ブラウザのウィンドウ寸法及びスクロール位置の範囲内に存在し、前記ブラウザウィンドウが前記ディスプレイ装置上で所定の時間フォーカスが当たっていることを前記相関コードが検知した場合、前記電子コンテンツの閲覧のカウントをするための通信を、前記電気通信ネットワークを介して送信することを特徴とするシステム。